(57)【要約】【目的】  外部に接続したＰＣを用いることなく、ハードディスクをはじめとする大容量記憶装置を用いることによって煩雑な手順を経ることなく携帯用機器で再生可能なデータを生成して記録媒体に記録し、かつ符号化方式の変更に対応できるようにする。【構成】  ＣＰＵの制御により、テレビチューナが受信したアナログテレビ放送電波からメモリに映像データと音声データを蓄積し、タスクＡでＭＰＥＧ２形式の映像データとＭＰＥＧ１Ｌａｙｅｒ２形式の音声データを生成してそれらを多重化してＭＰＥＧ２ストリームデータを生成し、さらにタスクＢでＭＰＥＧ４形式の映像データとＭＰＥＧ４−ＡＣＣ形式の音声データを生成してそれらを多重化してＭＰＥＧ４ストリームデータを生成し、交互に順次記憶装置に書き込んで記録する。【選択図】        図１
2005072799.tif 000002
【特許請求の範囲】
【請求項１】
記録手段を有し、映像信号を入力する入力手段と、該入力手段によって入力された映像信号から複数種類の符号化方法を用いて複数種類の符号化済み映像データを生成する生成手段と、該生成手段によって生成された複数種類の符号化済み映像データを前記記録手段に記録させる記録制御手段とを備えたことを特徴とする記録装置。
【請求項２】
記録手段を有し、映像信号及び音声信号を入力する入力手段と、該入力手段によって入力された映像信号及び音声信号から複数種類の符号化方法を用いて複数種類の符号化済み映像データ及び符号化済み音声データを生成する生成手段と、該生成手段によって生成された複数種類の符号化済み映像データ及び符号化済み音声データを前記記録手段に記録させる記録制御手段とを備えたことを特徴とする記録装置。
【請求項３】
第１の記録手段と第２の記録手段とを有し、映像信号を入力する入力手段と、該入力手段によって入力された映像信号から複数種類の符号化方法を用いて複数種類の符号化済み映像データを生成する生成手段と、該生成手段によって生成された複数種類の符号化済み映像データを前記第１の記録手段に記録させ、前記複数種類の符号化済み映像データの中から指定された種類の符号化済み映像データを前記第２の記録手段へ転送して記録させる記録制御手段とを備えたことを特徴とする記録装置。
【請求項４】
第１の記録手段と第２の記録手段とを有し、映像信号及び音声信号を入力する入力手段と、該入力手段によって入力された映像信号及び音声信号から複数種類の符号化方法を用いて複数種類の符号化済み映像データ及び符号化済み音声データを生成する生成手段と、該生成手段によって生成された複数種類の符号化済み映像データ及び符号化済み音声データを前記第１の記録手段に記録させ、前記複数種類の符号化済み映像データ及び音声データの中から指定された種類の符号化済み映像データ及び音声データを前記第２の記録手段へ転送して記録させる記録制御手段とを備えたことを特徴とする記録装置。
【請求項５】
前記第１の記録手段がハードディスク装置であり、前記第２の記録手段が光ディスク装置であることを特徴とする請求項３又は４記載の記録装置。
【請求項６】
前記第１の記録手段がハードディスク装置であり、前記第２の記録手段がメモリカード装置であることを特徴とする請求項３又は４記載の記録装置。
【請求項７】
前記第１の記録手段がハードディスク装置であり、前記第２の記録手段がＵＳＢメモリ装置であることを特徴とする請求項３又は４記載の記録装置。
【請求項８】
前記第１の記録手段と前記第２の記録手段がそれぞれ光ディスク装置であることを特徴とする請求項３又は４記載の記録装置。
【請求項９】
前記第１の記録手段が光ディスク装置であり、前記第２の記録手段がメモリカード装置であることを特徴とする請求項３又は４記載の記録装置。
【請求項１０】
前記第１の記録手段が光ディスク装置であり、前記第２の記録手段がＵＳＢメモリ装置であることを特徴とする請求項３又は４記載の記録装置。
【請求項１１】
映像信号を入力する入力手順と、該入力手順によって入力された映像信号から複数種類の符号化方法を用いて複数種類の符号化済み映像データを生成する生成手順と、該生成手順によって生成された複数種類の符号化済み映像データを記録手段に記録させる記録制御手順とからなることを特徴とする記録方法。
【請求項１２】
映像信号及び音声信号を入力する入力手順と、該入力手順によって入力された映像信号及び音声信号から複数種類の符号化方法を用いて複数種類の符号化済み映像データ及び符号化済み音声データを生成する生成手順と、該生成手順によって生成された複数種類の符号化済み映像データ及び符号化済み音声データを記録手段に記録させる記録制御手順とからなることを特徴とする記録方法。
【請求項１３】
映像信号を入力する入力手順と、該入力手順によって入力された映像信号から複数種類の符号化方法を用いて複数種類の符号化済み映像データを生成する生成手順と、該生成手順によって生成された複数種類の符号化済み映像データを第１の記録手段に記録させ、前記複数種類の符号化済み映像データの中から指定された種類の符号化済み映像データを第２の記録手段へ転送して記録させる記録制御手順とからなることを特徴とする記録方法。
【請求項１４】
映像信号及び音声信号を入力する入力手順と、該入力手順によって入力された映像信号及び音声信号から複数種類の符号化方法を用いて複数種類の符号化済み映像データ及び符号化済み音声データを生成する生成手順と、該生成手順によって生成された複数種類の符号化済み映像データ及び符号化済み音声データを第１の記録手段に記録させ、前記複数種類の符号化済み映像データ及び音声データの中から指定された種類の符号化済み映像データ及び音声データを第２の記録手段へ転送して記録させる記録制御手順とからなることを特徴とする記録方法。
【請求項１５】
前記第１の記録手段がハードディスク装置であり、前記第２の記録手段が光ディスク装置であることを特徴とする請求項１３又は１４記載の記録方法。
【請求項１６】
前記第１の記録手段がハードディスク装置であり、前記第２の記録手段がメモリカード装置であることを特徴とする請求項１３又は１４記載の記録方法。
【請求項１７】
前記第１の記録手段がハードディスク装置であり、前記第２の記録手段がＵＳＢメモリ装置であることを特徴とする請求項１３又は１４記載の記録方法。
【請求項１８】
前記第１の記録手段と前記第２の記録手段がそれぞれ光ディスク装置であることを特徴とする請求項１３又は１４記載の記録方法。
【請求項１９】
前記第１の記録手段が光ディスク装置であり、前記第２の記録手段がメモリカード装置であることを特徴とする請求項１３又は１４記載の記録方法。
【請求項２０】
前記第１の記録手段が光ディスク装置であり、前記第２の記録手段がＵＳＢメモリ装置であることを特徴とする請求項１３又は１４記載の記録方法。
【発明の詳細な説明】
【技術分野】
【０００１】
この発明は、入力された映像信号，映像信号及び音声信号を符号化した後にハードディスク，光ディスク，メモリカードをはじめとする各種の記憶媒体に記録する記録装置とその記録方法とに関する。
【背景技術】
【０００２】
従来、携帯用機器で再生する映像を生成して記録するための記録装置としては、以下の２種類の記録装置が主に用いられていた。
１．ＰＣに接続された記憶装置上にある映像をＰＣ用ソフトウェアを用いて、メモリカードの容量に収まるように適した符号化方法で再符号化後、メモリカード読み取り・書き込み装置を介してメモリカードに転送する記録装置。その記録装置によって映像が記録されたメモリカードを携帯用機器に挿入して再生する。
２．メモリカードの容量に適した符号化装置を内蔵したメモリカード専用の録画装置又は同機能を実装した携帯用機器本体を既存のＶＴＲ等の出力端子に接続し、映像出力がなされる際に自動又は手動操作で映像・音声の記録を実施する記録装置。その記録装置によって録画されたメモリカードを携帯用機器に挿入して再生する。
【０００３】
また、従来、映像信号と音声信号の少なくとも一方のデータを第１の圧縮方式で圧縮して第１の圧縮データを生成する第１のエンコーダと、上記一のデータを第１の圧縮方式とは異なる第２の圧縮方式で圧縮して第２の圧縮データを生成する第２のエンコーダと、第１及び第２の圧縮データを共に記録媒体に記録する記録制御部とを備えた記録装置（例えば、特許文献１参照）があった。
【特許文献１】特開平２００３−３２６１７号公報
【発明の開示】
【発明が解決しようとする課題】
【０００４】
しかしながら、従来の記録装置では次のような問題があった。
１の記録装置により携帯用機器で再生するための映像を生成するためには、符号化された映像データを一度復号した後、再度符号化を行う必要があるため時間を要するという問題があり、またＰＣに接続された記憶装置上に携帯用機器での再生を希望する映像が無い場合には、ＰＣに取り込み用の装置を接続して取り込み作業を行い、ＰＣの記憶装置上に映像データを用意しなければならず操作が煩雑になるという問題点があった。
２の記録装置では、ＰＣは不要であるがメモリカードに直接録画を行うため、メモリカードの容量を超えて録画することはできない。長時間録画を行うためには複数枚のメモリカードを用意して手動で交換しなければならず手順が煩雑になるという問題点があった。
特許文献１に記載された記録装置では、第１の圧縮方式と第２の圧縮方式をそれぞれ専用に行う符号化装置である第１のエンコーダと第２のエンコーダを用いているため、後に符号化方式を変更することが難しいという問題点があった。
【０００５】
この発明は上記の点に鑑みてなされたものであり、外部に接続したＰＣを用いることなく、ハードディスクをはじめとする大容量記憶装置を用いることによって煩雑な手順を経ることなく携帯用機器で再生可能なデータを生成して記録媒体に記録し、かつ符号化方式の変更に対応できるようにすることを目的とする。
【課題を解決するための手段】
【０００６】
この発明は上記の目的を達成するため、次の（１）〜（１０）の記録装置を提供する。
（１）記録手段を有し、映像信号を入力する入力手段と、その入力手段によって入力された映像信号から複数種類の符号化方法を用いて複数種類の符号化済み映像データを生成する生成手段と、その生成手段によって生成された複数種類の符号化済み映像データを上記記録手段に記録させる記録制御手段を備えた記録装置。
（２）記録手段を有し、映像信号及び音声信号を入力する入力手段と、その入力手段によって入力された映像信号及び音声信号から複数種類の符号化方法を用いて複数種類の符号化済み映像データ及び符号化済み音声データを生成する生成手段と、その生成手段によって生成された複数種類の符号化済み映像データ及び符号化済み音声データを上記記録手段に記録させる記録制御手段を備えた記録装置。
【０００７】
（３）第１の記録手段と第２の記録手段を有し、映像信号を入力する入力手段と、その入力手段によって入力された映像信号から複数種類の符号化方法を用いて複数種類の符号化済み映像データを生成する生成手段と、その生成手段によって生成された複数種類の符号化済み映像データを上記第１の記録手段に記録させ、上記複数種類の符号化済み映像データの中から指定された種類の符号化済み映像データを上記第２の記録手段へ転送して記録させる記録制御手段を備えた記録装置。
（４）第１の記録手段と第２の記録手段を有し、映像信号及び音声信号を入力する入力手段と、その入力手段によって入力された映像信号及び音声信号から複数種類の符号化方法を用いて複数種類の符号化済み映像データ及び符号化済み音声データを生成する生成手段と、その生成手段によって生成された複数種類の符号化済み映像データ及び符号化済み音声データを上記第１の記録手段に記録させ、上記複数種類の符号化済み映像データ及び音声データの中から指定された種類の符号化済み映像データ及び音声データを上記第２の記録手段へ転送して記録させる記録制御手段を備えた記録装置。
【０００８】
（５）上記（３）又は（４）の記録装置において、上記第１の記録手段をハードディスク装置にし、上記第２の記録手段を光ディスク装置にした記録装置。
（６）上記（３）又は（４）の記録装置において、上記第１の記録手段をハードディスク装置にし、上記第２の記録手段をメモリカード装置にした記録装置。
（７）上記（３）又は（４）の記録装置において、上記第１の記録手段をハードディスク装置にし、上記第２の記録手段をＵＳＢメモリ装置にした記録装置。
（８）上記（３）又は（４）の記録装置において、上記第１の記録手段と上記第２の記録手段をそれぞれ光ディスク装置にした記録装置。
（９）上記（３）又は（４）の記録装置において、上記第１の記録手段を光ディスク装置にし、上記第２の記録手段をメモリカード装置にした記録装置。
（１０）上記（３）又は（４）の記録装置において、上記第１の記録手段を光ディスク装置にし、上記第２の記録手段をＵＳＢメモリ装置にした記録装置。
【０００９】
また、次の（１１）〜（２０）の記録方法も提供する。
（１１）映像信号を入力する入力手順と、その入力手順によって入力された映像信号から複数種類の符号化方法を用いて複数種類の符号化済み映像データを生成する生成手順と、その生成手順によって生成された複数種類の符号化済み映像データを記録手段に記録させる記録制御手順とからなる記録方法。
（１２）映像信号及び音声信号を入力する入力手順と、その入力手順によって入力された映像信号及び音声信号から複数種類の符号化方法を用いて複数種類の符号化済み映像データ及び符号化済み音声データを生成する生成手順と、その生成手順によって生成された複数種類の符号化済み映像データ及び符号化済み音声データを記録手段に記録させる記録制御手順とからなる記録方法。
【００１０】
（１３）映像信号を入力する入力手順と、その入力手順によって入力された映像信号から複数種類の符号化方法を用いて複数種類の符号化済み映像データを生成する生成手順と、その生成手順によって生成された複数種類の符号化済み映像データを第１の記録手段に記録させ、上記複数種類の符号化済み映像データの中から指定された種類の符号化済み映像データを第２の記録手段へ転送して記録させる記録制御手順とからなる記録方法。
（１４）映像信号及び音声信号を入力する入力手順と、その入力手順によって入力された映像信号及び音声信号から複数種類の符号化方法を用いて複数種類の符号化済み映像データ及び符号化済み音声データを生成する生成手順と、その生成手順によって生成された複数種類の符号化済み映像データ及び符号化済み音声データを第１の記録手段に記録させ、上記複数種類の符号化済み映像データ及び音声データの中から指定された種類の符号化済み映像データ及び音声データを第２の記録手段へ転送して記録させる記録制御手順とからなる記録方法。
【００１１】
（１５）上記（１３）又は（１４）の記録方法において、上記第１の記録手段をハードディスク装置にし、上記第２の記録手段を光ディスク装置にした記録方法。
（１６）上記（１３）又は（１４）の記録方法において、上記第１の記録手段をハードディスク装置にし、上記第２の記録手段をメモリカード装置にした記録方法。
（１７）上記（１３）又は（１４）の記録方法において、上記第１の記録手段をハードディスク装置にし、上記第２の記録手段をＵＳＢメモリ装置にした記録方法。
（１８）上記（１３）又は（１４）の記録方法において、上記第１の記録手段と上記第２の記録手段をそれぞれ光ディスク装置にした記録方法。
（１９）上記（１３）又は（１４）の記録方法において、上記第１の記録手段を光ディスク装置にし、上記第２の記録手段をメモリカード装置にした記録方法。
（２０）上記（１３）又は（１４）の記録方法において、上記第１の記録手段を光ディスク装置にし、上記第２の記録手段をＵＳＢメモリ装置にした記録方法。
【発明の効果】
【００１２】
この発明による記録装置と記録方法は、ＰＣを用いることなく、ハードディスクをはじめとする大容量記憶装置を用いることによって煩雑な手順を経ることなく携帯用機器で再生可能なデータを生成して記録媒体に記録し、かつ符号化方式の変更に対応することができる。
【発明を実施するための最良の形態】
【００１３】
以下、この発明を実施するための最良の形態を図面に基づいて具体的に説明する。
〔実施例１〕
図２は、この発明の一実施例である映像記録再生装置の外観の正面図である。
図１は、図２に示した映像記録再生装置の内部構成を示すブロック図である。
この映像記録再生装置は、記録装置として、ハードディスク装置，光ディスク装置（光ディスクドライブ），ＰＣカード装置（ＰＣカード・リーダ・ライタ），コンパクトフラッシュカード装置（コンパクトフラッシュカード・リーダ・ライタ），スマートメディア装置（スマートメディア・リーダ・ライタ），ＳＤメモリカード・マルチメディアカード装置（ＳＤメモリカード・マルチメディアカード・リーダ・ライタ），メモリスティック装置（メモリスティック・リーダ・ライタ），ｘＤピクチャカード装置（ｘＤピクチャカード・リーダ・ライタ），ＵＳＢメモリ装置を内蔵している。なお、上記コンパクトフラッシュは登録商標である。
【００１４】
ハードディスク装置は、ハードディスクに対する情報の記録と再生を行う磁気ディスク装置である。
光ディスク装置は、ＣＤ，ＣＤ−ＲＯＭディスク，ＤＶＤ−ＲＯＭディスク等の再生専用光ディスクに記録された情報を読み取って再生し、ＣＤ−Ｒディスク，ＣＤ−ＲＷディスク，ＤＶＤ−Ｒディスク，ＤＶＤ＋Ｒディスク，ＤＶＤ−ＲＷディスク，ＤＶＤ＋ＲＷディスク，ＤＶＤ−ＲＡＭディスク等の記録可能な光ディスクに記録された情報を読み取って再生し、それらのディスクに情報を書き込んで記録する処理を行う装置である。
ＰＣカード装置は、ＰＣカードに対する情報の記録と再生を行う装置である。
【００１５】
コンパクトフラッシュカード装置は、コンパクトフラッシュカードに対する情報の記録と再生を行う装置である。
スマートメディア装置は、スマートメディアに対する情報の記録と再生を行う装置である。ＳＤメモリカード・マルチメディアカード装置は、ＳＤメモリカードとマルチメディアカードに対する情報の記録と再生を行う装置である。
メモリスティック装置は、メモリスティックに対する情報の記録と再生を行う装置である。ｘＤピクチャカード装置は、ｘＤピクチャカードに対する情報の記録と再生を行う装置である。
ＵＳＢメモリ装置は、ＵＳＢメモリに対する情報の記録と再生を行う装置である。
【００１６】
図２に示すように、装置前面に、光ディスクを載置して光ディスク装置に挿入するディスクトレイ１と、ＰＣカード装置にＰＣカードを挿着するＰＣカード用スロット２と、コンパクトフラッシュ装置にコンパクトフラッシュカードを挿着するコンパクトフラッシュカード用スロット３と、スマートメディア装置にスマートメディアを挿着するスマートメディア用スロット４と、ＳＤメモリカード・マルチメディアカード装置にＳＤメモリカード，マルチメディアカードを挿着するＳＤメモリカード・マルチメディアカード用スロット５と、メモリスティックを挿着するメモリスティック用スロット６と、ｘＤピクチャカードを挿着するｘＤピクチャカード用スロット７を備えている。
【００１７】
また、ＵＳＢメモリ装置にＵＳＢメモリを挿着するＵＳＢポート８と、この映像記録再生装置の電源の入切の電源ボタン９と、ディスクトレイ１の入脱のディスク取り出しボタン１０と、光ディスク装置に対する再生，記録，停止，一時停止等の指示を行う指示ボタン群１１も備えている。
上記ＳＤメモリカード・マルチメディアカード装置に代えて、ＳＤメモリカードに対する情報の記録と再生を行うＳＤメモリカード装置と、マルチメディアカードに対する情報の記録と再生を行うマルチメディアカード装置とを設け、装置前面にそれぞれのスロットを設けるようにしても良い。
【００１８】
上記ＰＣカード装置，コンパクトフラッシュカード装置，スマートメディア装置，ＳＤメモリカード装置，マルチメディアカード装置，メモリスティック装置，及びｘＤピクチャカード装置を、メモリカード装置と総称し、上記ＰＣカード用スロット２，コンパクトフラッシュカード用スロット３，スマートメディア用スロット４，ＳＤメモリカード・マルチメディアカード用スロット５，メモリスティック用スロット６，及びｘＤピクチャカード用スロット７をメモリカード用スロットと総称する。
【００１９】
この映像記録再生装置の内部は、図１に示すように、テレビチューナ２０，Ａ／Ｄコンバータ２１，ビデオデコーダ・インタフェースＬＳＩ２２，バス・Ｉ／Ｏコントローラ２３，アナログ映像・音声信号生成ＬＳＩ２４，メモリ・バスコントローラ２５，メモリ２６，ＣＰＵ２７，記憶装置３０，メモリカード読み取り・書き込み装置３１からなる。
テレビチューナ２０は、アナログテレビ放送電波を受信してアナログのテレビ放送信号を入力し、そのテレビ放送信号からテレビ放送映像信号（アナログ映像信号）とテレビ放送音声信号（アナログ音声信号）を生成し、テレビ放送映像信号をビデオデコーダ・インタフェースＬＳＩ２２へ、テレビ放送音声信号をＡ／Ｄコンバータ２１へそれぞれ出力する。
【００２０】
Ａ／Ｄコンバータ２１は、テレビチューナ２０から入力したテレビ放送音声信号，及び外部入力のアナログ音声信号をデジタル音声信号に変換し、そのデジタル音声信号をビデオデコーダ・インタフェースＬＳＩ２２へ出力する。
ビデオデコーダ・インタフェースＬＳＩ２２は、テレビチューナ２０から入力したテレビ放送映像信号，及び外部入力のアナログ映像信号をデジタル映像信号に変換し、そのデジタル映像信号又はＡ／Ｄコンバータ２１から入力したデジタル音声信号をバス・Ｉ／Ｏコントローラ２３へ出力する。
【００２１】
バス・Ｉ／Ｏコントローラ２３は、ＩＤＥ・ＡＴＡＰＩを例とするインタフェースを持ち、ビデオデコーダ・インタフェースＬＳＩ２２から入力したデジタル映像信号の映像データ又はデジタル音声信号の音声データをメモリ・バスコントローラ２５へ出力し、メモリ・バスコントローラ２５から入力した復号化された映像データ又は音声データをアナログ映像・音声信号生成ＬＳＩ２４へ出力し、ＣＰＵ２７による制御によって符号化された映像データ又は符号化された音声データを記憶装置３０又はメモリカード読み取り書き込み装置３１へ書き込んで記録し、記憶装置３０又はメモリカード読み取り・書き込み装置３１に記録されている符号化された映像データ又は符号化された音声データを読み出してメモリ・バスコントローラ２５へ出力する。
【００２２】
アナログ映像・音声信号生成ＬＳＩ２４は、バス・Ｉ／Ｏコントローラ２３から復号化された映像データ又は音声データを入力し、それぞれアナログ信号に変換し、復号化された映像データからアナログ映像信号を、又は復号化された音声データからアナログ音声信号をそれぞれ生成し、アナログ映像信号をＣＲＴ，ＬＣＤ等のモニター（ディスプレイ）へ、アナログ音声信号をスピーカへそれぞれ出力する。
メモリ・バスコントローラ２５は、バス・Ｉ／Ｏコントローラ２３から入力した映像データ又は音声データをメモリ２６に書き込み、メモリ２６で復号化された映像データ又は音声データを読み出してバス・Ｉ／Ｏコントローラ２３へ出力する。
メモリ２６は、ＣＰＵ２７が映像データ及び音声データに対する符号化と復号化を施すために一時的に蓄積して展開する記憶装置である。
【００２３】
ＣＰＵ２７は、この発明に係る記録方法の手順を実行させるためのプログラム及びその他のプログラムを内部メモリ（公知なので図示を省略したＲＯＭ等のメモリ）に記憶しており、そのプログラムを実行することによってメモリ２６上の映像データと音声データに複数種類の符号化処理を用いて符号化して複数種類の符号化済み映像データと符号化済み映像データを生成する処理と、符号化済み映像データと符号化済み映像データを復号化する処理と、バス・Ｉ／Ｏコントローラ２３とメモリ・バスコントローラ２５を制御してメモリ２６の符号化された映像データ又は符号化された音声データを記憶装置３０又はメモリカード読み取り・書き込み装置３１に記録させる記録制御処理と、記憶装置３０又はメモリカード読み取り・書き込み装置３１に記録されている符号化された映像データ又は符号化された音声データを読み出してメモリ２６へ蓄積させる制御処理と、この装置全体の制御処理を行う。
【００２４】
記憶装置３０は、ハードディスク装置，光ディスク装置等の記録装置に相当し、記録媒体（メディア）に符号化済み映像データ又は符号化済み音声データを記録し、その記録媒体に記録された符号化済み映像データ又は符号化済み音声データを読み出して出力する。
メモリカード読み取り・書き込み装置３１は、ＵＳＢ等のインタフェースを介してバス・Ｉ／Ｏコントローラ２３に接続されており、光ディスク装置，ＰＣカード装置，コンパクトフラッシュカード装置，スマートメディア装置，ＳＤメモリカード・マルチメディアカード装置，メモリスティック装置，ｘＤピクチャカード装置，ＵＳＢメモリ装置等の記録装置に相当し、記録媒体（メディア）に符号化済み映像データ又は符号化済み音声データを記録し、その記録媒体に記録された符号化済み映像データ又は符号化済み音声データを読み出して出力する。
【００２５】
すなわち、上記テレビチューナ２０，Ａ／Ｄコンバータ２１，ビデオデコーダ・インタフェースＬＳＩ２２，バス・Ｉ／Ｏコントローラ２３が上記入力手段の機能を果たす。
また、上記メモリ・バスコントローラ２５，メモリ２６，ＣＰＵ２７が上記生成手段の機能を果たす。さらに、上記バス・Ｉ／Ｏコントローラ２３，メモリバス２５，ＣＰＵ２７が上記記録制御手段の機能を果たす。
また、上記記憶装置３０，メモリカード読み取り・書き込み装置３１が上記記録手段に相当する。さらに、上記記憶装置３０が上記第１の記録装置に、上記メモリカード読み取り・書き込み装置３１が上記第２の記録手段に相当する。
【００２６】
次に、図１に示した内部構成の映像記録再生装置における映像と音声の同時記録処理について説明する。
図３は、図１に示す内部構成の映像記録再生装置における映像と音声の同時記録処理の手順を示すフローチャート図である。
映像と音声の同時記録処理は、ＣＰＵ２７の制御により、ステップ（図中「Ｓ」で示す）１でテレビチューナがアナログテレビ放送電波を受信してアナログのテレビ放送信号を入力し、ステップ２でそのテレビ放送信号からアナログの映像信号と音声信号に分離してアナログ映像信号とアナログ音声信号を生成し、Ａ／Ｄコンバータへアナログ音声信号を、ビデオデコーダ・インタフェースＬＳＩへアナログ映像信号をそれぞれ出力する。
【００２７】
ステップ３の音声信号デジタル化処理でＡ／Ｄコンバータによってアナログ音声信号をデジタル音声信号に変換し、ビデオデコーダ・インタフェースＬＳＩへ入力する。一方、映像信号デジタル化処理でビデオデコーダ・インタフェースＬＳＩはアナログ映像信号をデジタル映像信号に変換し、デジタル音声信号と共にバス・Ｉ／Ｏコントローラへ入力する。ステップ４でバス・Ｉ／Ｏコントローラとメモリ・バスコントローラによって映像データと音声データをそれぞれメモリ上に蓄積して展開する。
【００２８】
ステップ５でタスクＡとしてＭＰＥＧ（エムペグ）２符号化処理方法を用いてメモリ上の映像データをＭＰＥＧ２形式で符号化してＭＰＥＧ２形式で符号化済みの映像データを生成し、ＭＰＥＧ（エムペグ）１Ｌａｙｅｒ（レイヤ）２符号化処理方法を用いてメモリ上の音声データをＭＰＥＧ１Ｌａｙｅｒ２形式で符号化してＭＰＥＧ１Ｌａｙｅｒ２形式で符号化済みの音声データを生成し、さらにタスクＢとしてＭＰＥＧ４符号化処理方法を用いてメモリ上の映像データをＭＰＥＧ４形式で符号化してＭＰＥＧ４形式で符号化済みの映像データを生成し、ＭＰＥＧ４−ＡＣＣ符号化処理方法を用いてメモリ上の音声データをＭＰＥＧ４−ＡＣＣ形式で符号化してＭＰＥＧ４−ＡＣＣ形式で符号化済みの音声データを生成する。
【００２９】
ステップ６でＭＰＥＧ２形式で符号化済みの映像データとＭＰＥＧ１Ｌａｙｅｒ２形式で符号化済みの音声データを多重化してＭＰＥＧ２ストリームデータを生成し、ＭＰＥＧ４形式で符号化済みの映像データとＭＰＥＧ４−ＡＣＣ形式で符号化済みの音声データを多重化してＭＰＥＧ４ストリームデータを生成し、ステップ７で符号化されたデータＡ（ＭＰＥＧ２ストリームデータ）と符号化されたデータＢ（ＭＰＥＧ４ストリームデータ）をメモリ上に一時蓄積する。
このように、映像データをＭＰＥＧ２形式とＭＰＥＧ４形式の複数種類の符号化方法で同時に符号化し、また音声データをＭＰＥＧ１Ｌａｙｅｒ２形式とＭＰＥＧ４−ＡＣＣ形式の複数種類の符号化方法で同時に符号化し、複数種類の符号化済み映像データと音声データを生成する。
【００３０】
そして、ステップ８でデータＡ，Ｂを一定の時間毎に交互に順次記憶装置に書き込んで記録する。すなわち、複数種類の符号化済み映像データと音声データを一緒にして記憶装置３０に記録する。
また、予め記憶装置３０とメモリカード読み取り・書き込み装置３１に符号化済み映像データと音声データとを記録するように設定した場合、記憶装置３０と共にメモリカード読み取り・書き込み装置３１にも複数種類の符号化済み映像データと音声データを一緒にして記録する記録制御を行う。
【００３１】
さらに、メモリカード読み取り・書き込み装置３１にも複数種類の符号化済み映像データと音声データを記録する場合、記憶装置３０に記録された複数種類の符号化済み映像データと音声データの中からユーザによって選択されて指定された種類のデータを読み出し、その符号化済み映像データ又は符号化済み音声データをメモリカード読み取り・書き込み装置３１に転送して記録する記録制御も行える。さらにまた、メモリ２６に記録された複数種類の符号化済み映像データと音声データの中からユーザによって選択されて指定された種類のデータを読み出し、その符号化済み映像データ又は符号化済み音声データをメモリカード読み取り・書き込み装置３１に転送して記録する記録制御も行える。
【００３２】
また、メモリカード読み取り・書き込み装置３１として、光ディスク装置，ＰＣカード装置，コンパクトフラッシュカード装置，スマートメディア装置，ＳＤメモリカード・マルチメディアカード装置，メモリスティック装置，ｘＤピクチャカード装置，又はＵＳＢメモリ装置のいずれかの中からユーザによって選択された装置、又はメディアが挿入されている装置に符号化済み映像データと音声データを転送して記録するようにする。
さらに、上記全装置に符号化済み映像データと音声データを転送して記録することもできる。
一方、ステップ１，２に代えてステップ９で外部から映像信号と音声信号を入力した場合、ステップ３でそれぞれデジタル化した後、上述のステップ４〜８と同様に処理して記録する。
【００３３】
次に、図１に示した内部構成の映像記録再生装置における映像と音声の同時再生処理について説明する。
ＣＰＵ２７の制御により、再生処理時には、記憶装置３０又はメモリカード読み取り・書き込み装置３１からの読み取り処理を行い、バス・Ｉ／Ｏコントローラ２３，メモリ・バスコントローラ２５を介してメモリ２６へ展開する。メモリ２６上に転送された映像データ，音声データをプログラムの処理により復号化し、その復号化されたデジタル映像データとデジタル音声データをアナログ映像・音声信号生成ＬＳＩ２４によってモニタ等のディスプレイに表示可能なアナログ映像信号とスピーカに出力可能なアナログ音声信号に変換して出力し、ディスプレイに映像を表示し、スピーカから音声を出力する。
【００３４】
次に、図１に示した内部構成の映像記録再生装置における映像を複数種類の符号化データで記録する処理について説明する。
この記録処理は、ＣＰＵ２７の制御により、テレビチューナ２０がアナログテレビ放送電波を受信してアナログのテレビ放送信号を入力し、そのテレビ放送信号からアナログの映像信号を分離してアナログ映像信号を生成し、ビデオデコーダ・インタフェースＬＳＩ２２へアナログ映像信号を出力する。また、ビデオデコーダ・インタフェースＬＳＩ２２へ外部からのアナログ映像信号を直接入力する。
【００３５】
すると、映像信号デジタル化処理でビデオデコーダ・インタフェースＬＳＩ２２はアナログ映像信号をデジタル映像信号に変換し、バス・Ｉ／Ｏコントローラ２３へ入力し、バス・Ｉ／Ｏコントローラ２３とメモリ・バスコントローラ２５によって映像データをメモリ２６上に蓄積して展開し、タスクＡとしてＭＰＥＧ（エムペグ）２符号化処理方法を用いてメモリ２６上の映像データをＭＰＥＧ２形式で符号化してＭＰＥＧ２形式で符号化済みの映像データを生成し、さらにタスクＢとしてＭＰＥＧ４符号化処理方法を用いてメモリ２６上の映像データをＭＰＥＧ４形式で符号化してＭＰＥＧ４形式で符号化済みの映像データを生成する。そして、ＭＰＥＧ２形式で符号化済みの映像データとＭＰＥＧ４形式で符号化済みの映像データとを順次記憶装置３０に書き込んで記録する。
このように、映像データをＭＰＥＧ２形式とＭＰＥＧ４形式の複数種類の符号化方法で符号化し、その複数種類の符号化済み映像データを一緒にして記憶装置３０に記録する。
【００３６】
また、予め記憶装置３０とメモリカード読み取り・書き込み装置３１に符号化済み映像データを記録するように設定した場合、記憶装置３０と共にメモリカード読み取り・書き込み装置３１にも複数種類の符号化済み映像データを一緒にして記録する記録制御を行う。さらに、メモリカード読み取り・書き込み装置３１にも複数種類の符号化済み映像データを記録する場合、記憶装置３０に記録された複数種類の符号化済み映像データの中からユーザによって選択されて指定された種類のデータを読み出し、その符号化済み映像データをメモリカード読み取り・書き込み装置３１に転送して記録する記録制御も行える。
さらにまた、メモリ２６に記録された複数種類の符号化済み映像データの中からユーザによって選択されて指定された種類のデータを読み出し、その符号化済み映像データをメモリカード読み取り・書き込み装置３１に転送して記録する記録制御も行える。
【００３７】
また、メモリカード読み取り・書き込み装置３１として、光ディスク装置，ＰＣカード装置，コンパクトフラッシュカード装置，スマートメディア装置，ＳＤメモリカード・マルチメディアカード装置，メモリスティック装置，ｘＤピクチャカード装置，又はＵＳＢメモリ装置のいずれかの中からユーザによって選択された装置、又はメディアが挿入されている装置に符号化済み映像データを転送して記録するようにする。
さらに、上記全装置に符号化済み映像データを転送して記録することもできる。
【００３８】
次に、図１に示した内部構成の映像記録再生装置における映像の再生処理について説明する。
ＣＰＵ２７の制御により、再生処理時には、記憶装置３０又はメモリカード読み取り・書き込み装置３１からの読み取り処理を行い、バス・Ｉ／Ｏコントローラ２３，メモリ・バスコントローラ２５を介してメモリ２６へ展開する。メモリ２６上に転送された映像データをプログラムの処理により復号化し、その復号化されたデジタル映像データをアナログ映像・音声信号生成ＬＳＩ２４によってモニタ等のディスプレイに表示可能なアナログ映像信号に変換して出力し、ディスプレイに表示する。
【００３９】
次に、図１に示した内部構成の映像記録再生装置における音声を複数種類の符号化データで記録する処理について説明する。
この記録処理は、ＣＰＵ２７の制御により、テレビチューナ２０がアナログテレビ放送電波を受信してアナログのテレビ放送信号を入力し、そのテレビ放送信号からアナログの音声信号に分離してアナログ音声信号を生成し、Ａ／Ｄコンバータ２１へアナログ音声信号を出力する。また、Ａ／Ｄコンバータ２１へ外部からアナログ音声信号を直接入力する。Ａ／Ｄコンバータ２１は音声信号デジタル化処理でアナログ音声信号をデジタル音声信号に変換し、ビデオデコーダ・インタフェースＬＳＩ２２へ入力する。ビデオデコーダ・インタフェースＬＳＩ２２は、バス・Ｉ／Ｏコントローラ２３とメモリ・バスコントローラ２５によって音声データをメモリ２６上に蓄積して展開する。
【００４０】
そして、タスクＡとしてＭＰＥＧ１Ｌａｙｅｒ２符号化処理方法を用いてメモリ２６上の音声データをＭＰＥＧ１Ｌａｙｅｒ２形式で符号化してＭＰＥＧ１Ｌａｙｅｒ２形式で符号化済みの音声データを生成し、さらにタスクＢとしてＭＰＥＧ４−ＡＣＣ符号化処理方法を用いてメモリ２６上の音声データをＭＰＥＧ４−ＡＣＣ形式で符号化してＭＰＥＧ４−ＡＣＣ形式で符号化済みの音声データを生成し、そのＭＰＥＧ１Ｌａｙｅｒ２形式で符号化済みの音声データとＭＰＥＧ４−ＡＣＣ形式で符号化済みの音声データとを順次記憶装置３０に書き込んで記録する。
このように、映像データをＭＰＥＧ２形式とＭＰＥＧ４形式の複数種類の符号化方法で符号化し、その複数種類の符号化済み映像データを一緒にして記憶装置３０に記録する。
【００４１】
また、予め記憶装置３０とメモリカード読み取り・書き込み装置３１に符号化済み音声データを記録するように設定した場合、記憶装置３０と共にメモリカード読み取り・書き込み装置３１にも複数種類の符号化済み音声データを一緒にして記録する記録制御を行う。さらに、メモリカード読み取り・書き込み装置３１にも複数種類の符号化済み音声データを記録する場合、記憶装置３０に記録された複数種類の符号化済み音声データの中からユーザによって選択されて指定された種類のデータを読み出し、その符号化済み音声データをメモリカード読み取り・書き込み装置３１に転送して記録する記録制御も行える。
さらにまた、メモリ２６に記録された複数種類の符号化済み音声データの中からユーザによって選択されて指定された種類のデータを読み出し、その符号化済み音声データをメモリカード読み取り・書き込み装置３１に転送して記録する記録制御も行える。
【００４２】
また、メモリカード読み取り・書き込み装置３１として、光ディスク装置，ＰＣカード装置，コンパクトフラッシュカード装置，スマートメディア装置，ＳＤメモリカード・マルチメディアカード装置，メモリスティック装置，ｘＤピクチャカード装置，又はＵＳＢメモリ装置のいずれかの中からユーザによって選択された装置、又はメディアが挿入されている装置に符号化済み音声データを転送して記録するようにする。
さらに、上記全装置に符号化済み音声データを転送して記録することもできる。
【００４３】
次に、図１に示した内部構成の映像記録再生装置における音声の再生処理について説明する。
ＣＰＵ２７の制御により、再生処理時には、記憶装置３０又はメモリカード読み取り・書き込み装置３１からの読み取り処理を行い、バス・Ｉ／Ｏコントローラ２３，メモリ・バスコントローラ２５を介してメモリ２６へ展開する。メモリ２６上に転送された音声データをプログラムの処理により復号化し、その復号化されたデジタル音声データをアナログ映像・音声信号生成ＬＳＩ２４によってスピーカで再生可能なアナログ音声信号に変換して出力し、スピーカから音声出力する。
【００４４】
上述の符号化処理の種類の例として、タスクＡとして映像データについてＭＰＥＧ２形式符号化処理，音声データについてＭＰＥＧ１  Ｌａｙｅｒ２形式符号化処理を、タスクＢとして映像データについてＭＰＥＧ４形式符号化処理，音声データについてＭＰＥＧ４−ＡＡＣ形式符号化処理の場合について説明したが、これらの映像符号化形式・音声符号化形式に因らずＭＰＥＧ１等の他の映像符号化形式やＧ．７２６，ドルビーデジタル（Ｄｏｌｂｙ  Ｄｉｇｉｔａｌ）等の他の音声符号化形式の使用も可能である。
【００４５】
図４は、この映像記録再生装置における記憶装置への出力動作の概要を模式的に示した図である。
同図において横方向は時間を示している。なお、記憶装置３０内の記録媒体上における記録場所は各ストリーム毎に交互に記録するわけではない。また、記憶装置３０が各映像・音声符号化タスクで生成された符号化済み映像データと符号化済み音声データを書き込むのに要する時間は符号化に要する時間よりも充分に速いものとする。
同図の（ａ）は、映像・音声符号化用タスクＡから出力されるＭＰＥＧ２ストリームデータを示しており、一定時間分のデータがメモリ２６に蓄えられる。
【００４６】
同図の（ｂ）は、映像・音声符号化用タスクＢから出力されるＭＰＥＧ４ストリームデータを示しており、同図の（ａ）と同様にしてＭＰＥＧ４ストリームデータがメモリ２６に蓄えられる。
同図の（ｃ）は、バス・Ｉ／Ｏコントローラ２３から記憶装置３０への出力を示しており、メモリ２６に蓄えられたＭＰＥＧ２ストリームデータとＭＰＥＧ４ストリームデータを交互に順次出力して記憶装置３０に記録する。そして、一連の記録が終了するまでこの動作を繰り返す。
【００４７】
〔実施例２〕
この実施例２の映像記録再生装置の外観は、図２に示した映像記録再生装置と同じであり、内部構成と機能が上述のものとは若干異なる。
図５はこの実施例２における映像記録再生装置の内部構成を示すブロック図であり、図１と共通する部分には同一符号を付してその機能及び動作の説明を省略する。
この映像記録再生装置は、上記テレビチューナ２０，Ａ／Ｄコンバータ２１，ビデオデコーダ・インタフェースＬＳＩ２２に代えて、テレビチューナ２８とデジタル映像・音声信号インタフェース（変換）ＬＳＩ２９を設けている。
テレビチューナ２８は、ＭＰＥＧ２ストリーム形式のデジタルテレビ放送電波を受信してデジタルのテレビ放送信号を入力し、そのテレビ放送信号からデジタル映像・音声信号を生成してデジタル映像・音声信号インタフェース（変換）ＬＳＩ２９へ出力する。
【００４８】
デジタル映像・音声信号インタフェース（変換）ＬＳＩ２９は、テレビチューナ２８から入力したデジタル映像・音声信号を、又は外部入力のデジタル映像・音声信号をバス・Ｉ／Ｏコントローラ２３のインタフェース形式に合うように形式を変換してバス・Ｉ／Ｏコントローラ２３へ出力する。
すなわち、この実施例２の映像記録再生装置では、上記バス・Ｉ／Ｏコントローラ２３，テレビチューナ２８，デジタル映像・音声信号インタフェース（変換）ＬＳＩ２９が、上記入力手段の機能を果たす。
【００４９】
次に、図５に示した内部構成の映像記録再生装置における映像と音声の同時記録処理について説明する。
図６は、図５に示す内部構成の映像記録再生装置における映像と音声の同時記録処理の手順を示すフローチャート図である。
映像と音声の同時記録処理は、ＣＰＵ２７の制御により、ステップ（図中「Ｓ」で示す）１１でテレビチューナがＭＰＥＧ２ストリームデータで送信されるデジタルテレビ放送電波を受信してデジタルのテレビ放送信号を入力し、そのテレビ放送信号からデジタル映像・音声信号を生成してデジタル映像・音声信号インタフェース（変換）ＬＳＩへ出力する。又はデジタル映像・音声信号インタフェース（変換）ＬＳＩへ外部入力のデジタル信号（デジタル映像・音声信号）を入力する。
【００５０】
さらに、デジタル映像・音声信号インタフェース（変換）ＬＳＩでバス・Ｉ／Ｏコントローラのインタフェース形式に合うようにデータ形式を変換し、バス・Ｉ／Ｏコントローラへ出力し、バス・Ｉ／Ｏコントローラとメモリ・バスコントローラによってデジタル映像・音声データをそれぞれメモリ上に蓄積して展開する。そして、メモリ上に展開された映像・音声データは著作権保護信号の検出を行って記録が可能と判断された場合、一方のタスクＡにおいては、ステップ１６でＭＰＥＧ２形式のままで符号化済みデータＡとしてＭＰＥＧ２ストリームデータをメモリ上に一時蓄積する。
【００５１】
他方のタスクＢにおいては、ステップ１２でメモリ上に展開されたデジタル映像・音声データ（ＭＰＥＧ２ストリームデータ）から映像部分のストリームデータ（映像ストリームデータ）と音声部分のストリームデータ（音声ストリームデータ）を分離して各々取り出し、ステップ１３で映像ストリームを一旦復号化してメモリ上に展開し、音声ストリームを一旦復号化してメモリ上に展開し、ステップ１４で映像データ（映像ストリームデータ）をＭＰＥＧ４形式で再符号化し、音声データ（音声ストリームデータ）をＭＰＥＧ４−ＡＡＣ形式で再符号化し、ステップ１５でその再符号化された映像データ（映像ストリームデータ）と音声データ（音声ストリームデータ）を多重化して一つのストリームデータとした後、ステップ１６で符号化済みデータＢとしてＭＰＥＧ４ストリームデータをメモリ上に一時蓄積する。
【００５２】
そして、ステップ１７でメモリに蓄積された符号化済みデータＡ，Ｂを一定の時間毎に交互に順次記憶装置に書き込んで記録する。すなわち、複数種類の符号化済み映像データと音声データを一緒にして記憶装置３０に記録する。
また、予め記憶装置３０とメモリカード読み取り・書き込み装置３１に符号化済み映像データと音声データとを記録するように設定した場合、記憶装置３０と共にメモリカード読み取り・書き込み装置３１にも複数種類の符号化済み映像データと音声データを一緒にして記録する記録制御を行う。
【００５３】
さらに、メモリカード読み取り・書き込み装置３１にも複数種類の符号化済み映像データと音声データを記録する場合、記憶装置３０に記録された複数種類の符号化済み映像データと音声データの中からユーザによって選択されて指定された種類のデータを読み出し、その符号化済み映像データ又は符号化済み音声データをメモリカード読み取り・書き込み装置３１に転送して記録する記録制御も行える。さらにまた、メモリ２６に記録された複数種類の符号化済み映像データと音声データの中からユーザによって選択されて指定された種類のデータを読み出し、その符号化済み映像データ又は符号化済み音声データをメモリカード読み取り・書き込み装置３１に転送して記録する記録制御も行える。
【００５４】
また、メモリカード読み取り・書き込み装置３１として、光ディスク装置，ＰＣカード装置，コンパクトフラッシュカード装置，スマートメディア装置，ＳＤメモリカード・マルチメディアカード装置，メモリスティック装置，ｘＤピクチャカード装置，又はＵＳＢメモリ装置のいずれかの中からユーザによって選択された装置、又はメディアが挿入されている装置に符号化済み映像データと音声データを転送して記録するようにする。
さらに、上記全装置に符号化済み映像データと音声データを転送して記録することもできる。
【００５５】
次に、図５に示した内部構成の映像記録再生装置における映像と音声の同時再生処理について説明する。
ＣＰＵ２７の制御により、再生処理時には、記憶装置３０又はメモリカード読み取り・書き込み装置３１からの読み取り処理を行い、バス・Ｉ／Ｏコントローラ２３，メモリ・バスコントローラ２５を介してメモリ２６へ展開する。メモリ２６上に転送されたストリームデータをプログラムの処理により復号化し、その復号化されたデジタル映像データとデジタル音声データをアナログ映像・音声信号生成ＬＳＩ２４によってモニタ等のディスプレイに表示可能なアナログ映像信号とスピーカに出力可能なアナログ音声信号に変換して出力し、ディスプレイに映像を表示し、スピーカから音声を出力する。
【００５６】
次に、図５に示した内部構成の映像記録再生装置における映像を複数種類の符号化データで記録する処理について説明する。
この記録処理は、ＣＰＵ２７の制御により、テレビチューナがＭＰＥＧ２ストリームデータで送信されるデジタルテレビ放送電波を受信してデジタルのテレビ放送信号を入力し、そのテレビ放送信号からデジタル映像・音声信号を生成してデジタル映像・音声信号インタフェース（変換）ＬＳＩへ出力する。又はデジタル映像・音声信号インタフェース（変換）ＬＳＩへ外部入力のデジタル信号（デジタル映像・音声信号）を入力する。
【００５７】
さらに、デジタル映像・音声信号インタフェース（変換）ＬＳＩでバス・Ｉ／Ｏコントローラのインタフェース形式に合うようにデータ形式を変換し、バス・Ｉ／Ｏコントローラへ出力し、バス・Ｉ／Ｏコントローラとメモリ・バスコントローラによってデジタル映像・音声データをそれぞれメモリ上に蓄積して展開する。そして、メモリ上に展開された映像・音声データは著作権保護信号の検出を行って記録が可能と判断された場合、ＭＰＥＧ２ストリームデータから映像ストリームデータＡを分離してメモリ上に一時蓄積する。
【００５８】
また、タスクＢにおいては、メモリ上に展開されたデジタル映像・音声データ（ＭＰＥＧ２ストリームデータ）から映像部分のストリームデータ（映像ストリームデータ）を分離し、その映像ストリームを一旦復号化してメモリ上に展開してＭＰＥＧ４形式で再符号化し、その再符号化された映像ストリームデータＢをメモリ上に一時蓄積する。
そして、メモリに蓄積された符号化済みデータＡ，Ｂを一定の時間毎に交互に順次記憶装置に書き込んで記録する。すなわち、複数種類の符号化済み映像データを一緒にして記憶装置３０に記録する。
【００５９】
また、予め記憶装置３０とメモリカード読み取り・書き込み装置３１に符号化済み映像データを記録するように設定した場合、記憶装置３０と共にメモリカード読み取り・書き込み装置３１にも複数種類の符号化済み映像データを一緒にして記録する記録制御を行う。さらに、メモリカード読み取り・書き込み装置３１にも複数種類の符号化済み映像データを記録する場合、記憶装置３０に記録された複数種類の符号化済み映像データの中からユーザによって選択されて指定された種類のデータを読み出し、その符号化済み映像データをメモリカード読み取り・書き込み装置３１に転送して記録する記録制御も行える。
さらにまた、メモリ２６に記録された複数種類の符号化済み映像データの中からユーザによって選択されて指定された種類のデータを読み出し、その符号化済み映像データをメモリカード読み取り・書き込み装置３１に転送して記録する記録制御も行える。
【００６０】
また、メモリカード読み取り・書き込み装置３１として、光ディスク装置，ＰＣカード装置，コンパクトフラッシュカード装置，スマートメディア装置，ＳＤメモリカード・マルチメディアカード装置，メモリスティック装置，ｘＤピクチャカード装置，又はＵＳＢメモリ装置のいずれかの中からユーザによって選択された装置、又はメディアが挿入されている装置に符号化済み映像データを転送して記録するようにする。
さらに、上記全装置に符号化済み映像データを転送して記録することもできる。
【００６１】
次に、図５に示した内部構成の映像記録再生装置における映像の再生処理について説明する。
ＣＰＵ２７の制御により、再生処理時には、記憶装置３０又はメモリカード読み取り・書き込み装置３１からの読み取り処理を行い、バス・Ｉ／Ｏコントローラ２３，メモリ・バスコントローラ２５を介してメモリ２６へ展開する。メモリ２６上に転送された映像ストリームデータをプログラムの処理により復号化し、その復号化されたデジタル映像データをアナログ映像・音声信号生成ＬＳＩ２４によってモニタ等のディスプレイに表示可能なアナログ映像信号に変換して出力し、ディスプレイに表示する。
【００６２】
次に、図５に示した内部構成の映像記録再生装置における音声を複数種類の符号化データで記録する処理について説明する。
この記録処理は、ＣＰＵ２７の制御により、テレビチューナがＭＰＥＧ２ストリームデータで送信されるデジタルテレビ放送電波を受信してデジタルのテレビ放送信号を入力し、そのテレビ放送信号からデジタル映像・音声信号を生成してデジタル映像・音声信号インタフェース（変換）ＬＳＩへ出力する。又はデジタル映像・音声信号インタフェース（変換）ＬＳＩへ外部入力のデジタル信号（デジタル映像・音声信号）を入力する。
【００６３】
さらに、デジタル映像・音声信号インタフェース（変換）ＬＳＩでバス・Ｉ／Ｏコントローラのインタフェース形式に合うようにデータ形式を変換し、バス・Ｉ／Ｏコントローラへ出力し、バス・Ｉ／Ｏコントローラとメモリ・バスコントローラによってデジタル映像・音声データをそれぞれメモリ上に蓄積して展開する。そして、メモリ上に展開された映像・音声データは著作権保護信号の検出を行って記録が可能と判断された場合、ＭＰＥＧ２ストリームデータから音声ストリームデータを分離し、ＭＰＥＧ１Ｌａｙｅｒ２形式で符号化して符号化済み音声データＡとしてメモリ上に一時蓄積する。
【００６４】
また、タスクＢにおいては、メモリ上に展開されたデジタル映像・音声データ（ＭＰＥＧ２ストリームデータ）から音声部分のストリームデータ（音声ストリームデータ）を分離し、その音声ストリームを一旦復号化してメモリ上に展開してＭＰＥＧ４−ＡＣＣ形式で再符号化し、その再符号化された音声ストリームデータＢをメモリ上に一時蓄積する。
そして、メモリに蓄積された符号化済みデータＡ，Ｂを一定の時間毎に交互に順次記憶装置に書き込んで記録する。すなわち、複数種類の符号化済み音声データを一緒にして記憶装置３０に記録する。
【００６５】
また、予め記憶装置３０とメモリカード読み取り・書き込み装置３１に符号化済み音声データを記録するように設定した場合、記憶装置３０と共にメモリカード読み取り・書き込み装置３１にも複数種類の符号化済み音声データを一緒にして記録する記録制御を行う。さらに、メモリカード読み取り・書き込み装置３１にも複数種類の符号化済み音声データを記録する場合、記憶装置３０に記録された複数種類の符号化済み音声データの中からユーザによって選択されて指定された種類のデータを読み出し、その符号化済み音声データをメモリカード読み取り・書き込み装置３１に転送して記録する記録制御も行える。
さらにまた、メモリ２６に記録された複数種類の符号化済み音声データの中からユーザによって選択されて指定された種類のデータを読み出し、その符号化済み音声データをメモリカード読み取り・書き込み装置３１に転送して記録する記録制御も行える。
【００６６】
また、メモリカード読み取り・書き込み装置３１として、光ディスク装置，ＰＣカード装置，コンパクトフラッシュカード装置，スマートメディア装置，ＳＤメモリカード・マルチメディアカード装置，メモリスティック装置，ｘＤピクチャカード装置，又はＵＳＢメモリ装置のいずれかの中からユーザによって選択された装置、又はメディアが挿入されている装置に符号化済み音声データを転送して記録するようにする。
さらに、上記全装置に符号化済み音声データを転送して記録することもできる。
【００６７】
次に、図５に示した内部構成の映像記録再生装置における音声の再生処理について説明する。
ＣＰＵ２７の制御により、再生処理時には、記憶装置３０又はメモリカード読み取り・書き込み装置３１からの読み取り処理を行い、バス・Ｉ／Ｏコントローラ２３，メモリ・バスコントローラ２５を介してメモリ２６へ展開する。メモリ２６上に転送された音声データをプログラムの処理により復号化し、その復号化されたデジタル音声データをアナログ映像・音声信号生成ＬＳＩ２４によってスピーカで再生可能なアナログ音声信号に変換して出力し、スピーカから音声出力する。
【００６８】
上述の符号化処理の種類の例として、タスクＡとして映像データについてＭＰＥＧ２形式符号化処理，音声データについてＭＰＥＧ１  Ｌａｙｅｒ２形式符号化処理を、タスクＢとして映像データについてＭＰＥＧ４形式符号化処理，音声データについてＭＰＥＧ４−ＡＡＣ形式符号化処理の場合について説明したが、これらの映像符号化形式・音声符号化形式に因らずＭＰＥＧ１等の他の映像符号化形式やＧ．７２６，ドルビーデジタル（Ｄｏｌｂｙ  Ｄｉｇｉｔａｌ）等の他の音声符号化形式の使用も可能である。
【００６９】
図７は、図１に示す内部構成の映像記録再生装置における予約録画時の動作処理を示したフローチャート図である。
ステップ（図中「Ｓ」で示す）２１で利用者によって一般のハードディスクレコーダやＶＴＲと同様に録画予約が行われ、その予約内容をセットすると、ステップ２２でＣＰＵは予約録画の待機状態に移行し、内蔵クロックによるタイマの時刻を確認して録画予約時間を監視し、ステップ２３で録画開始時刻の直前時刻になったか否かを判断し、直前時刻でなければステップ２２の処理に戻って録画予約時間を監視する。
【００７０】
ステップ２３の判断で直前時刻になったら、ステップ２４でシステム全体の電源を入れて予約時に定められたチャンネルをテレビチューナに設定し、テレビ放送信号の受信を開始し、タスクＡにおいてステップ２５でテレビチューナから出力される映像信号の映像データをＭＰＥＧ２形式で符号化してＭＰＥＧ２形式の符号化済み映像データを生成し、ステップ２６でテレビチューナから出力される音声信号の音声データをＭＰＥＧ１  Ｌａｙｅｒ２形式で符号化してＭＰＥＧ１  Ｌａｙｅｒ２形式の符号化済み音声データを生成する。
【００７１】
一方、タスクＢにおいてステップ２７でテレビチューナから出力される映像信号の映像データをＭＰＥＧ４形式で符号化してＭＰＥＧ４形式の符号化済み映像データを生成し、ステップ２８でテレビチューナから出力される音声信号のをＭＰＥＧ４−ＡＡＣ形式で符号化してＭＰＥＧ４−ＡＡＣ形式の符号化済み音声データを生成して、ステップ２９でタスクＡにおいて生成されたＭＰＥＧ２形式の符号化済み映像データとＭＰＥＧ１  Ｌａｙｅｒ２形式の符号化済み音声データを多重化してＭＰＥＧ２ストリームデータとしてメモリに一時蓄積し、ステップ３０でタスクＢにおいて生成されたＭＰＥＧ４形式の符号化済み映像データとＭＰＥＧ４−ＡＡＣ形式の符号化済み音声データを多重化してＭＰＥＧ４ストリームデータとしてメモリに一時蓄積し、ステップ３１で記憶装置にＭＰＥＧ２ストリームデータとＭＰＥＧ４ストリームデータを一緒に記録する。
【００７２】
そして、ステップ３２で録画終了時刻になったか否かを判断し、録画終了時刻でなければステップ２４へ戻って上述の録画処理を繰り返し、録画終了時刻になったらステップ３３で録画終了処理をし、ステップ２２へ戻る。
また、図５に示す内部構成の映像記録再生装置における予約録画時の動作処理は、上述の処理においてタスクＡでの符号化処理が不要となる以外は同様である。
【００７３】
このようにして、ＣＰＵにより同時に複数種の符号化方法を用いて複数種の符号化済み映像・音声データを同時に記録することにより煩雑な操作を行うことなく記憶装置に蓄積された中から必要なデータのみをメモリカードに転送し、携帯用再生装置で再生することが可能となり、プログラムを入れ替えることにより別種の符号化方法への対応も容易に行える。
【００７４】
また、ＣＰＵにより同時に複数種の符号化方法を用いて複数種の符号化済み映像・音声データを同時に記録することにより煩雑な操作を行うことなくハードディスクに蓄積された中から必要なデータのみをメモリカードに転送し、携帯用再生装置で再生することが可能となり、ハードディスクが大容量であるためメモリカードの容量による録画時間の制限を回避でき、プログラムを入れ替えることにより別種の符号化方法への対応も容易に行える。
【００７５】
さらに、ＣＰＵにより同時に複数種の符号化方法を用いて複数種の符号化済み映像・音声データを同時に記録することにより煩雑な操作を行うことなく光ディスクに蓄積された中から必要なデータのみをメモリカードに転送し、携帯用再生装置で再生することが可能となり、光ディスクが大容量であるためメモリカードの容量による録画時間の制限を回避でき、プログラムを入れ替えることにより別種の符号化方法への対応も容易に行える。
【００７６】
また、ＣＰＵにより同時に複数種の符号化方法を用いて複数種の符号化済み映像・音声データを同時に記録することにより煩雑な操作を行うことなくハードディスクに蓄積された中から必要なデータのみをＰＣカードフラッシュメモリまたはＰＣカード型ハードディスクに転送することにより、ＰＣカードスロットを具えた携帯用再生装置で再生することが可能となり、記憶装置が大容量であるためＰＣカードフラッシュメモリまたはＰＣカード型ハードディスクの容量による録画時間の制限を回避でき、プログラムを入れ替えることにより別種の符号化方法への対応も容易に行える。
【００７７】
さらに、ＣＰＵにより同時に複数種の符号化方法を用いて複数種の符号化済み映像・音声データを同時に記録することにより煩雑な操作を行うことなくハードディスクに蓄積された中から必要なデータのみをコンパクトフラッシュカードまたはコンパクトフラッシュカード型ハードディスクに転送することにより、コンパクトフラッシュカードスロットを具えた携帯用再生装置で再生することが可能となり、記憶装置が大容量であるためコンパクトフラッシュカードまたはコンパクトフラッシュカード型ハードディスクの容量による録画時間の制限を回避でき、プログラムを入れ替えることにより別種の符号化方法への対応も容易に行える。
【００７８】
また、ＣＰＵにより同時に複数種の符号化方法を用いて複数種の符号化済み映像・音声データを同時に記録することにより煩雑な操作を行うことなくハードディスクに蓄積された中から必要なデータのみをスマートメディアに転送することにより、スマートメディアスロットを具えた携帯用再生装置で再生することが可能となり、記憶装置が大容量であるためスマートメディアの容量による録画時間の制限を回避でき、プログラムを入れ替えることにより別種の符号化方法への対応も容易に行える。
【００７９】
さらに、ＣＰＵにより同時に複数種の符号化方法を用いて複数種の符号化済み映像・音声データを同時に記録することにより煩雑な操作を行うことなくハードディスクに蓄積された中から必要なデータのみをＳＤメモリカードに転送することにより、ＳＤメモリカードスロットを具えた携帯用再生装置で再生することが可能となり、記憶装置が大容量であるためＳＤメモリカードの容量による録画時間の制限を回避でき、プログラムを入れ替えることにより別種の符号化方法への対応も容易に行える。
【００８０】
また、ＣＰＵにより同時に複数種の符号化方法を用いて複数種の符号化済み映像・音声データを同時に記録することにより煩雑な操作を行うことなくハードディスクに蓄積された中から必要なデータのみをマルチメディアカードに転送することにより、マルチメディアカードスロットを具えた携帯用再生装置で再生することが可能となり、記憶装置が大容量であるためマルチメディアカードの容量による録画時間の制限を回避でき、プログラムを入れ替えることにより別種の符号化方法への対応も容易に行える。
【００８１】
さらに、ＣＰＵにより同時に複数種の符号化方法を用いて複数種の符号化済み映像・音声データを同時に記録することにより煩雑な操作を行うことなくハードディスクに蓄積された中から必要なデータのみをメモリスティックに転送することにより、メモリスティックスロットを具えた携帯用再生装置で再生することが可能となり、記憶装置が大容量であるためメモリスティックの容量による録画時間の制限を回避でき、プログラムを入れ替えることにより別種の符号化方法への対応も容易に行える。
【００８２】
また、ＣＰＵにより同時に複数種の符号化方法を用いて複数種の符号化済み映像・音声データを同時に記録することにより煩雑な操作を行うことなくハードディスクに蓄積された中から必要なデータのみをｘＤピクチャカードに転送することにより、ｘＤピクチャカードスロットを具えた携帯用再生装置で再生することが可能となり、記憶装置が大容量であるためｘＤピクチャカードの容量による録画時間の制限を回避でき、プログラムを入れ替えることにより別種の符号化方法への対応も容易に行える。
【００８３】
さらに、ＣＰＵにより同時に複数種の符号化方法を用いて複数種の符号化済み映像・音声データを同時に記録することにより煩雑な操作を行うことなくハードディスクに蓄積された中から必要なデータのみをＵＳＢメモリに転送することにより、ＵＳＢメモリポートを具えた携帯用再生装置で再生することが可能となり、記憶装置が大容量であるためＵＳＢメモリの容量による録画時間の制限を回避でき、プログラムを入れ替えることにより別種の符号化方法への対応も容易に行える。
【００８４】
また、ＣＰＵにより同時に複数種の符号化方法を用いて複数種の符号化済み映像・音声データを同時に記録することにより煩雑な操作を行うことなく光ディスクに蓄積された中から必要なデータのみをＰＣカードフラッシュメモリまたはＰＣカード型ハードディスクに転送することにより、ＰＣカードスロットを具えた携帯用再生装置で再生することが可能となり、記憶装置が大容量であるためＰＣカードフラッシュメモリまたはＰＣカード型ハードディスクの容量による録画時間の制限を回避でき、プログラムを入れ替えることにより別種の符号化方法への対応も容易に行える。
【００８５】
さらに、ＣＰＵにより同時に複数種の符号化方法を用いて複数種の符号化済み映像・音声データを同時に記録することにより煩雑な操作を行うことなく光ディスクに蓄積された中から必要なデータのみをコンパクトフラッシュカードまたはコンパクトフラッシュカード型ハードディスクに転送することにより、コンパクトフラッシュカードスロットを具えた携帯用再生装置で再生することが可能となり、記憶装置が大容量であるためコンパクトフラッシュカードまたはコンパクトフラッシュカード型ハードディスクの容量による録画時間の制限を回避でき、プログラムを入れ替えることにより別種の符号化方法への対応も容易に行える。
【００８６】
また、ＣＰＵにより同時に複数種の符号化方法を用いて複数種の符号化済み映像・音声データを同時に記録することにより煩雑な操作を行うことなく光ディスクに蓄積された中から必要なデータのみをスマートメディアに転送することにより、スマートメディアスロットを具えた携帯用再生装置で再生することが可能となり、記憶装置が大容量であるためスマートメディアの容量による録画時間の制限を回避でき、プログラムを入れ替えることにより別種の符号化方法への対応も容易に行える。
【００８７】
さらに、ＣＰＵにより同時に複数種の符号化方法を用いて複数種の符号化済み映像・音声データを同時に記録することにより煩雑な操作を行うことなく光ディスクに蓄積された中から必要なデータのみをＳＤメモリカードに転送することにより、ＳＤメモリカードアスロットを具えた携帯用再生装置で再生することが可能となり、記憶装置が大容量であるためＳＤメモリカードの容量による録画時間の制限を回避でき、プログラムを入れ替えることにより別種の符号化方法への対応も容易に行える。
【００８８】
また、ＣＰＵにより同時に複数種の符号化方法を用いて複数種の符号化済み映像・音声データを同時に記録することにより煩雑な操作を行うことなく光ディスクに蓄積された中から必要なデータのみをマルチメディアカードに転送することにより、マルチメディアカードスロットを具えた携帯用再生装置で再生することが可能となり、記憶装置が大容量であるためマルチメディアカードの容量による録画時間の制限を回避でき、プログラムを入れ替えることにより別種の符号化方法への対応も容易に行える。
【００８９】
さらに、ＣＰＵにより同時に複数種の符号化方法を用いて複数種の符号化済み映像・音声データを同時に記録することにより煩雑な操作を行うことなく光ディスクに蓄積された中から必要なデータのみをメモリスティックに転送することにより、メモリスティックスロットを具えた携帯用再生装置で再生することが可能となり、記憶装置が大容量であるためメモリスティックの容量による録画時間の制限を回避でき、プログラムを入れ替えることにより別種の符号化方法への対応も容易に行える。
【００９０】
また、ＣＰＵにより同時に複数種の符号化方法を用いて複数種の符号化済み映像・音声データを同時に記録することにより煩雑な操作を行うことなく光ディスクに蓄積された中から必要なデータのみをｘＤピクチャカードに転送することにより、ｘＤピクチャカードスロットを具えた携帯用再生装置で再生することが可能となり、記憶装置が大容量であるためｘＤピクチャカードの容量による録画時間の制限を回避でき、プログラムを入れ替えることにより別種の符号化方法への対応も容易に行える。
【００９１】
さらに、ＣＰＵにより同時に複数種の符号化方法を用いて複数種の符号化済み映像・音声データを同時に記録することにより煩雑な操作を行うことなく光ディスクに蓄積された中から必要なデータのみをＵＳＢメモリに転送することにより、ＵＳＢメモリポートを具えた携帯用再生装置で再生することが可能となり、記憶装置が大容量であるためＵＳＢメモリの容量による録画時間の制限を回避でき、プログラムを入れ替えることにより別種の符号化方法への対応も容易に行える。
【産業上の利用可能性】
【００９２】
この発明による記録装置は、デスクトップパソコン，ノートブックパソコン等のパーソナルコンピュータにおいても適用することができる。
【図面の簡単な説明】
【００９３】
【図１】図２に示す映像記録再生装置の内部構成を示すブロック図である。
【図２】この発明の一実施例である映像記録再生装置の外観の正面図である。
【図３】図１に示す内部構成の映像記録再生装置における映像と音声の同時記録処理の手順を示すフローチャート図である。
【図４】この映像記録再生装置における記憶装置への出力動作の概要を模式的に示した図である。
【００９４】
【図５】この実施例２における映像記録再生装置の内部構成を示すブロック図である。
【図６】図５に示す内部構成の映像記録再生装置における映像と音声の同時記録処理の手順を示すフローチャート図である。
【図７】図１に示す内部構成の映像記録再生装置における予約録画時の動作処理を示したフローチャート図である。
【符号の説明】
【００９５】
１：ディスクトレイ    ２：ＰＣカード用スロット    ３：コンパクトフラッシュカード用スロット    ４：スマートメディア用スロット    ５：ＳＤメモリカード・マルチメディアカード用スロット    ６：メモリスティック用スロット    ７：ｘＤピクチャカード用スロット    ８：ＵＳＢポート    ９：電源ボタン    １０：ディスク取り出しボタン    １１：指示ボタン群    ２０，２８：テレビチューナ    ２１：Ａ／Ｄコンバータ    ２２：ビデオデコーダ・インタフェースＬＳＩ    ２３：バス・Ｉ／Ｏコントローラ    ２４：アナログ映像・音声信号生成ＬＳＩ    ２５：メモリ・バスコントローラ    ２６：メモリ    ２７：ＣＰＵ    ２９：デジタル映像・音声信号インタフェース（変換）ＬＳＩ    ３０：記憶装置    ３１：メモリカード読み取り・書き込み装置
【図１】
2005072799.tif 000003
【図２】
2005072799.tif 000004
【図３】
2005072799.tif 000005
【図４】
2005072799.tif 000006
【図５】
2005072799.tif 000007
【図６】
2005072799.tif 000008
【図７】
2005072799.tif 000009